(57)【要約】［課題］  宇宙空間の諸施設を製作するのに原材料の効率的・経済的な供給が難しかった。例えば地球の近傍の無重力の宇宙空間に配備される製作系（集団）に鉄の原材料を供給する手段に乏しかった。［解決手段］  運搬装置と、観測装置と、制御装置と、によって構成される。【選択図】図３
2005126027.tif 000002
【特許請求の範囲】
【請求項１】
地球の近傍の無重力空間に配備された製作系（集団）と小惑星帯の間の宇宙空間を往復して運行し該製作系（集団）に適度の大きさの鉄隕石を運搬する推力・比推力が大きいロケットである運搬装置と、
該運搬装置に搭載された観測体が観測する諸天体の位置、小惑星群や鉄隕石の状況等の映像・データ・情報を地球管制体の観測受体に送受信する観測装置と、
該観測装置からの観測の映像・データ・情報を入力し分析し処理して制御指令を出力する地球管制体の大型電子計算機を含む地球ネットワークと、
該地球ネットワークからの制御指令を受信し該運搬装置の各々の体を制御する電子計算機群によって成る運搬ネットワークと、
を連携し該運搬装置の全体を制御する制御装置と、
を具備した防護装置。
【請求項２】
前記観測装置・制御装置は、地球と小惑星帯との略中間に前記運搬装置によって配備され、観測の映像・データ・情報や制御指令の送信を中介して送信出力を増大する中継装置
を具備した請求項に記載の防護装置。
【請求項３】
小惑星帯に点在する適度の大きさの鉄隕石を地球の近傍の製作系（集団）に運搬する推力・比推力が大きいロケットであって、
後部に装備された「住路加速・帰路減速用の」後噴射部、及び
先部に装備された「帰路加速・住路減速用の」先噴射部、を備えた推進体と、
住路・帰路の進行コースや姿勢を制御し操縦する操縦体と、
該鉄隕石を握持し補促する補促体と、
住路・帰路の諸天体の位置、小惑星群の状況、鉄隕石の状況等を観測する観測体と、
それらの各体を制御用の電子計算機群を統括し地球管制体の大型電子計算機と交信し制御指令を受ける運搬ネットワークと、
を具備した運搬装置を有する防護装置。
【請求項４】
前記運搬装置は、前記後噴射部・先噴射部を備えた筒状の１対の推進体と、
該推進体の略中間部が連結され略Ｈ型略凵型またはそれらの組合せに構成するための連結体と、
該推進体・該連結体の表裏両面から突出・引込が可能に構成された複数対の補捉棒の先端で鉄隕石の外面を握持し補捉する補捉体と、
を具備した請求項に記載の防護装置。
【発明の詳細な説明】
【発明の詳細な説明】
［        ］
【技術分野】  本発明は防護装置の構成に関し、より詳しくは地球近傍の無重力の宇宙空間に配備された製作系（集団）に製作用の原材料を効率的、経済的に供給する装置である。
［        ］
【背景技術】  ２０世紀は去り、私達は２１世紀という新らしい世紀を迎えた。ここで２１世紀という時代を人類の歴史や地球の歴史上より顧みることは、単に１つの世紀の区切りの時代ということのみに止まらず極めて重要な意義を有することになった。
恐らくこの数１０年の世界の対応如何が、未来に向けて末永く生存するべき人類の運命を左右しかねない程、重要な意義を持つと予測される事態に至ってきた。
まず、２０世紀の前・後１世紀の変化の実態と予測とを客観的に把握しておく必要がある。図１は１９・２０世紀における主な変化の実態と、２１世紀に於いてこの傾向が続く場合の予測と、を示す。図１の図（ａ）・図（ｂ）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。このような著るしい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著るしい活動の副産物として、という大きく、かつ深刻な試練を受けることになっている。副産物の中には人間の居住パターンを変える程の大きな影響を及ぼすと予測されているものもある。その具体的な１例を図１を参考にして大略説明する。前記した図１の図（ａ）・図（ｂ）に示すように、２０世紀における世界人口・国民総生産・エネルギー消費量の爆発的な増大に伴って、図（ｃ）に示すように石油消費量は年間１０億トンを越すようになり、この傾向が続くと石油資源はあと４０数年の中に枯渇すると予測されている。そして、木材需要・農耕地需要、により熱帯雨林が年間１１３０万ｈａ破壊されている。森林、特に熱帯雨林は地球の肺に相当する程、大気中の二酸化炭素を吸収し酸素を供給する。
このような森林・熱帯雨林の破壊と併せて、石油等の化石燃料は燃焼時に大量の二酸化炭素を排出する。この結果、図（ｄ）に示すように、大気中の二酸化炭素の濃度は年々増大する傾向を示すに至った。そして、図（ｅ）に示すように地球温暖化の傾向が強まりつつある。この傾向が続くと、図（ｆ）に示すように、海水位が年々高くなり、近未来は臨海都市・地域は水没化する危険性がある。
生命にとって絶好の生存環境条件を備えた現在の地球は、太陽からの公転距離、従って太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成、等々によって奇跡的に生み出された。現在の地球環境は上記のような諸要件の微妙なバランスと超長年月をかけた熱成の末に造り出されたものである。しかし、地球環境はバランスが崩れ始めると壊れ易い有限の球体でもある。有限であるから資源と環境とが限られた超巨大な宇宙船にも例えられる。地球環境は過度な自然破壊さえ無ければ、忍耐強く、少々の打撃にも耐えられる寡黙な包容力のある、ねばり強い一面を備えた存在でもありうる。
地球は人間の個々の存在から視れば、圧倒的な巨大さと、うねりと、超長年月をかけた活動とをもつ大自然の１つである。大自然には緩衝能力があり長期にわたって被害を表面に出さない。しかし、ある限界を越えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存するべき膨大な未来の人類と、多くの種類の未来の膨大な生物とが共有すべき唯一の住家であり生命の源泉である。ところが実際には、地球環境がわずか約１世紀の人類の活動が原因して破壊されかけようとしている。この危険な傾向は現在の人類の責任において修正・転換され地球環境は防護され尽されねばならない。そのためには、環境破壊の原因の排出を繰返してきた２０世紀の人類の活動の全てが個々の立場に於て検証され、最善の対策が図られるべき必要に迫られてきた。
世界の人口が１０億に達したのは１８００年頃で、人類が誕生して以来非常に長い歴史が必要であった。しかし、２０億になるには約１３０年、３０億になるには３０年、４０億になるには１５年しかかっていない。特に、第２次世界大戦後における幾何級数的な世界人口の増加は、人口爆発と呼ばれるにふさわしいものであった。この増加傾向は多少変化があるとしても、前記のように世界人口は２０５０年には１００億に達するとみられている。従って、地球は半世紀の間に食糧、水、資源、居住環境等人類生存の必須条件の全ての面において、現在の約２倍の人口を維持しうるだけの扶養能力を備えていなければならない。
これらの必須条件が世界人口の生存上充分に余裕のあるうちは、人口増加は人類の繁栄を示すもので結構なことである。現に、数十年前まではそうであった。しかし、第２図に示すように現在実際に直面しまた予測されている危機的課題はいずれも地球規模のものであり、将来益々激しさを増すもので非可逆的性格が強い。その主な原因は世界人口の激増が引き金になっていることが判っている。エネルギーを初め多くの資源の需要は等比級数的に伸びるのに対して、資源の量には絶対的限界がある。幾世紀、幾億年かけて生成された森林や土壌や地球独得の資源等が今や人間一生程の短い期間に消費されている。また、これらのこことが将来、政治的・社会的安定を脅かす原因となってくる可能性が大きい。
２０世紀の人類はその活動の産物として数々の地球環境問題で大きなツケを２１世紀以降の後世に残すことになった。後世の人々は数々の大問題の解決に県命にならねばならぬ時が来る。県命になって解決されればそれで良い。なおかつどうすることもできず解決できぬ時にどうするか。２０世紀はこのことに対して痛切に心が痛まざるを得ないのが本当だ。人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止ることが多い、でも仕方がない。方向性や必要性の明確になった技術開発は年月がかかれば何とか妥当な答えがでるものが多い。やがて世の中の技術のレベルが向上し発展すれば難問が解決される日も来るであろう。現代の地球環境問題にも未来の地球・人類には天体上の諸理由によって起る危機、正に大危機と呼ばれる試練が待ち受けている。過去複数回到来したものは未来も複数回到来するであろう。後記の氷期の到来の課題然り、小惑星の地球衝突の課題然りである。それらは枠外れの厳冬や大地震よりさらにレベルが異る大危機である。以上は相当現代に近い近未来〜中未来の切実で大きな課題である。相当先々の中未来〜遠未来のことになるが太陽光度の漸次増強による地球高温化、地球の第２金星化の課題は放置すれば生物や人類の世紀末とも言うべき、全運命を左右する大危機である。
［        ］
本発明の第１の目的は地球の近傍の製作系（集団）に製作用の原材料を効率的・経済的に供給することである。
［        ］
［発明の実施の形態］
発明の実施の形態を実施例にもとづき図面を参照して下記のように説明する。
本発明の防護装置は、図３・図４に示すように運搬装置と、観測装置と、制御装置と、によって構成される。
（１−１）実施例  運搬装置  次に（  −  ）実施例について図を参照して説明する。図の図（ａ）は運搬装置の一実施例を示す平面図、図（ｂ）は同上実施例の側断面図、図（ｃ）は同上実施例の２種を示す横面図である。
本実施例の運搬装置は、推力・非推力が大きいロケットを地球の近傍の宇宙空間に配備された製作系（製作系集団）と小惑星帯との間の宇宙空間を住復運行して、小惑星帯に点在する適度の大きさの鉄隕石を補促体による視覚できれば最終的には全自動の操作によって補促し製作系（製作系集団）まで運搬して、宇宙空間に必要な各種の装置類例えば基地系集団の製作を可能にするためのもので、その製作に必要な鉄資材を地球の大きな引力に托して打上げて幕大なエネルギーを消費することなく単に推進体への住復の燃料の供給によって複数回の住復運行を可能にし、エネルギーや経済性の養護を図り、基地系集団等による地球の各種の防護を図るものである。
本実施例の運搬装置は、推進体、連結体、操縦体、補捉体、観測体、それらの各体を統卒する運搬ネットワーク等で構成される。
○  推進体は、推力・比推力が大きいロケット、例えば未だ未開発で研究中とされているが核融合を用いた推進力によって構成される。推進体は例えば略筒状に形成されその後部々装備された後噴射部と先噴射部とを備えている。後噴射部は複数の噴出口を備えて主に住路加速・帰路減速用に用いられる。先噴射部は複数の噴出口を備えて主に帰路加速・住路減速用に用いられる。推進体は筒状のものが１対または２対によって成る。
○  連結体は、略筒状の推進体の１対または２対がそれらの中間または端部を互いに連結するためのもので、これら推進体と連結体とによって運搬装置、は略Ｈ型または略凵またはそれら２対程連結されて構成される。
連結体は核融合炉等が収容されるよう必要な大きさに構成される。核融合炉等は連結体に限らす各々の推進体の中間に収容されてもよい。
○  操縦体は、例えば推進体の後部や先部に外側に向けて複数対装備される小型の噴射器で、運搬装置の住路・帰路の効率的な制御や鉄隕石を補促する際や鉄隕石を製作系（製作系集団）に移設する際に運搬装置の姿勢を微妙に調整制御するために使用される。操縦体は小出力で充分であるから化学燃料等によって噴出力が供給され、噴出方向は調節可能でもよい。
○  補促体は、鉄隕石を簡単な操作、例えば視覚・遠隔・自動のいずれかの操作によって補促するもので、具体的な構造は特に限定されるものではない。補促体は鉄隕石が各々の操作によって補促され易いよう、かつ鉄隕石による巨大な重量が無重力の宇宙空間に於ても慣性が安定する位置に装備され、推進体による推進が円滑に成される位置に装備される。また補促体は鉄隕石を補促後、簡単に運搬装置から分離しないよう安定的に一体化されて運搬されるのに適する構造が採用される。上記の諸条件を満すかもしれない一実施例を以下に述べる。補促体は例えば１対または２対の推進体と連結体とで囲まれる空間に鉄隕石が補促されるよう装備される。その具体的な１例にすぎないが上記の空間に一担収容された鉄隕石が仮保持されるよう複数対の補促棒の先端を鉄隕石の表面に圧接させる。補促棒は例えば推進体の表裏に複数対が油圧力で突出・引込が可能なように装備される。補促棒の先端には適当な緩衝材がされる。推進体や連結体の表面にも緩衝材が付され鉄隕石によって損傷されることを防止する。緩衝材は圧縮バネかゴム等でもよい。
○  運搬ネットワークは、上記の各体を制御する小型電子計算機のネットワークであり、地球管制体の大型電子計算機の制御を受ける。
［        ］
［発明の効果］
（１）運搬装置は、後噴射部・先噴射部で成る推進体を備えているので、小惑星が点在する小惑星帯に於て往路の加速度を減速し本体をＵターンすることなく鉄隕石を補促後直ちに帰路について加速度を増大できるから、往路折返し、帰路の推進を極めて単純化できる。
運搬装置は、操縦体を備えているので小惑星群を監視しながら衝突を廻避しつつ目標の鉄隕石に到達し帰路の操縦手的確に行える。また、鉄隕石に対する本体の姿勢は最適に制御して補促態勢を整えることができ、補促体によって的確に鉄隕石を補促できる。
運搬装置は１対（または２対）の噴射材の間に挟むように、かつ本体材の略中間に補促体を備えているので、重量の極めて大きい鉄隕石でも重心が偏ることなく本体の略中央に位置させ帰路を安定した状態で推進できる。
運搬装置は本体材の両端に向けて後噴射部と先噴射部とを備えており、無重力の製作系で組立てられ無重力の宇宙空間を運行するのでその大きさは限定的でないから、推力・比推力の大きい推進体は必要な大きさのものを搭載可能である。推進体は例えば核融合推進体は相当の大きさでも搭載できる。（またその開発が遅れる場合は多数個の化学燃料ユニットを搭載して順次燃焼することも可能であり、推力・比推力は相当に大きくできると推定される。）
地球近傍の製作系（集団）と小惑星帯との間の宇宙空間の距離は相当離れているが、加速度を増大して比推力を大きくすれば高速で飛来して比較的短期間で往復できる。
また鉄隕石は重量は相当大きいが推力の大きい推進体では地球の近傍の製作系まで運搬が可能であり運搬装置は、補促体を制御して鉄隕石を補促する補促操作を遠隔制御・自動制御によって自動化することができる。補促操作以外の真空宇宙空間の加速・減速・操縦の操作を自動化することができる。
運搬装置は上記のような推進体・操縦体・補促体・観測体を備えこれらの制御部を集中制御し、地球管制体の大型電子計算機に連携する運搬ネットワークを備えているので、小惑星帯までの往路・姿勢制御・鉄隕石の補促、帰路の全運搬工程を遠隔制御または全自動化できる。
運搬装置は複数個定期的に発進されれば複数個の鉄隕石を略定期的に地球の近傍の製作系（集団）まで運搬し諸種の宇宙空間の装置を製作用の原材料を供給可能になる。
運搬装置は繰り返し複数回往復して活用され、単に燃料供給のみで済むので、地球の引力に抗して運搬することに比べれば格段に効率的・経済的に鉄の原材料を供給できる。
従って、製作系（集団）は多数個の基地系で成る広大な基地系集団を製作することができ基地系集団は諸種の地球の防護を目標として活動できる。
［        ］
（２）運搬装置は、１対または２対の推進体と連結材とで略Ｈ型に形成された間に補促体を装備したので、重量の大きい鉄隕石を本体の略中央に保持でき重心を安定できる。
また、補促体は３方から突出できるので補促を的確に容易にできる。
補促体は複数対の補促粒によって補促の遠隔装置や自動化が可能になる。
［        ］
（３）運搬装置は、観測装置によって全ての観測の映像・データ・情報が集中送信され、それらが地球管制体の大型電子計算機に入力され処理されて運搬装置の運搬ネットワークに送信されて運搬装置の（推進体・繰従体・補促体等）の各体が制御される。
また、運搬装置は最初に搭乗員が搭乗して小惑星帯や鉄隕石や往路・帰路の状況を視覚・感覚で把握しつつ記録にとり、同時に全ての観測の映像・データ・情報が蓄積されればそれらの全てをプログラムに構成できる。
従って、運搬装置はこのプログラムと映像の送信等とを組み合せて地球管制体の大型電子計算機の指令と併行した搭乗経験者の地球からの遠隔操作によって往路・帰路の運行の全てや鉄隕石の補促の全てを（半）自動制御できる。
この遠隔操作の映像・データ・情報が蓄積されれば、これらもプログラムに構成できる。
最終的には運搬装置は全自動で全行程を運行できるようになると推定され、自動的に小惑星の鉄隕石を略定期的に地球近傍の製作系（集団）に運搬することも可能になると推定される。
［        ］
（４）運搬装置は、観測体による観測の映像・データ・情報や地球管制体の大型電子計算機の制御指令等が中継装置によって送信出力が増大されるので小惑星帯は極めて遠方で的確に交信され制御できる。
従って運搬装置は全行程を制御指令に従って運行できる。
【図面の簡単な説明】
【図１】２０世紀の人類の活動による環境等の課題と２１世紀の予測を示す図、
【図２】代表的な地球規模の課題と世界人口が原因する因果関係を示す図、
【図３】本発明の防護装置の電子計算機のネットワークを示す図、
【図４】同上装置の運搬装置の一実施例を示す図、
【図５】同上装置の運搬装置の運行の一実施例を示す図、
【図６】同上装置の基地系集団の一実施例を示す図である。
【符号の説明】
【図１】
2005126027.tif 000003
【図２】
2005126027.tif 000004
【図３】
2005126027.tif 000005
【図４】
2005126027.tif 000006
【図５】
2005126027.tif 000007
【図６】
2005126027.tif 000008